(57)【要約】      （修正有）【課題】この発明は、ゴミに指を突っ込まずに、排水により発生するヌメリが発生しにくい位置に設けたつまみ部を持てゴミ受けのゴミを捨てることができるシンク排水孔のゴミ受け具を提供することを目的とする。【解決手段】シンク排水孔に嵌入可能な上部が開口した椀状ないし円筒状の容器部を設け、容器部に容器部内の水分を排水可能な多数の透孔を設けて、容器部の上部開口端にはシンク排水孔の開口部より大径なツバ部を設け、容器部の底部上面には上方へつまみ部材を立設し、つまみ部材のつまみ部の上端が上記ツバ部の上面と同等ないし低い位置になるように設けたことで上述の目的を達成した。【選択図】図１
2005120620.tif 000002
【特許請求の範囲】
【請求項１】
流し台のシンク排水孔の内径より小さい外径の上部が開口した椀状ないし有底円筒状の容器部を設け、容器部に多数の透孔を設けるとともに、容器部の上部開口端にはシンク排水孔の開口部より大径なツバ部を設け、容器部の底部上面中央付近には上方へつまみ部材を立設し、つまみ部材の頂部をつまみ部に成し、このつまみ部の上端が上記ツバ部の上面と同等ないし低い位置になるように成したことを特徴とするシンク排水孔のゴミ受け具。
【発明の詳細な説明】
【技術分野】
【０００１】
この発明は、流し台のシンク排水孔に装着して用いるシンク排水孔のゴミ受け具に関するものである。
【背景技術】
【０００２】
流し台で調理をしたり、食後の食器を洗ったりすると、シンクの中に食物屑が落ち、排水孔へ流れて行く。この食物屑をそのまま排水孔から流すと排水管が詰まる原因になるので、シンクの排水孔に嵌めて食物屑を受け止めるザルないし籠状のゴミ受け具が市販されていて、ゴミ受け具に食物屑などがたまったらこのゴミ受け具を外し、食物屑などをゴミ箱に空けている。
【０００３】
上記の従来のゴミ受け具には上部開口端に幅広の鍔部を設けてこの鍔部を排水孔の縁に乗せて排水孔に装着するものや、排水孔に嵌り込んだゴミ受け具を取り出し易いように横倒し可能な提げ手がゴミ受け具の開口部に装着されていて、使用時には邪魔にならないように提げ手を横倒しにしてゴミ受け具の口縁に乗せて収納し、ゴミ受け具を取出すときに提げ手をつかんで起こすものなどがあった。
【０００４】
ところが、これらのゴミ受け具を取り外すためにゴミ受け具の開口縁や鍔部、あるいは提げ手などをつかもうとすると、ゴミ受け具に溜まったゴミに指を突っ込むことがあり、不衛生で気持ち悪かった。
【０００５】
しかも、食物などの栄養素が豊富に含まれた排水がゴミ受け具の口縁を伝って流れ落ちるのでしばらく使うとゴミ受け具の表面に付着した栄養素に雑菌やカビなどが繁殖してヌメリが発生し、食物屑を捨てるためにゴミ受け具の鍔部や上記提げ手などに触るとヌルヌルとした触感で気持ちが悪く、不衛生でもあった。
【発明の開示】
【発明が解決しようとする課題】
【０００６】
この発明は、シンクの排水孔に装着する従来のゴミ受け具が持つ欠点、即ち、ゴミ受け具を取り外すため、ゴミ受け具の縁部や鍔部あるいは横倒しの提げ手などをつかむときに、溜まったゴミの中に指を突っ込むことや、排水の栄養分により繁殖した雑菌などのヌメリでヌルヌルしたゴミ受け具の鍔部や提げ手などに触れることの不快感、不衛生性を払拭し、ヌメリでヌルヌルしたゴミ受け具の鍔部など、あるいは横倒しの提げ手などやゴミに触れることなく衛生的にゴミ受け具を排水孔から取り外してゴミを捨てられるシンク排水孔のゴミ受け具を提供するものである。
【課題を解決するための手段】
【０００７】
この発明のシンク排水孔のゴミ受け具は、流し台のシンク排水孔の内径より小さい外径の上部が開口した椀状ないし有底円筒状の容器部を設け、容器部に多数の透孔を設けるとともに、容器部の上部開口端にはシンク排水孔の開口部より大径なツバ部を設け、容器部の底部上面中央付近には上方へつまみ部材を立設し、つまみ部材の頂部をつまみ部に成し、このつまみ部の上端が上記ツバ部の上面と同等ないし低い位置になるように成したことで上述の課題を解決した。
【発明の効果】
【０００８】
この発明のシンク排水孔のゴミ受け具は、洗桶から食物屑などのゴミ混じりの洗浄水をシンク内で多量に勢いよくあけた場合も、洗浄水は排水されるにしたがって排水孔で渦巻いて大部分のゴミはシンクからゴミ受け具の内周壁に沿ってゴミ受け具の中に落ちる。さらに、食物屑などのゴミが濃縮された流れの終わり近くの栄養豊富な洗浄水はゴミ受け具の内周壁に沿って流れ落ちてつまみ部にかからず、つまみ部にはヌメリの原因になる栄養源がほとんど付着しないのでヌメリは発生せず、ゴミは内周壁に沿って第３図に示すように積もる。
【０００９】
また、食器などの洗浄水をシンクに徐々に流した場合には、ゴミ混じりの洗浄水はゴミ受け具の内周壁に沿って流れ落ちてゴミは内周壁に沿って積もるので、つまみ部がゴミで埋もれたりすることがなく、つまみ部に栄養豊富なゴミ混じりの洗浄水がかからないので、つまみ部にヌメリの原因になる雑菌などの繁殖に必要な栄養素が付かず、つまみ部にヌメリが発生しない。
【００１０】
したがって、洗い桶などの洗浄水をシンクに流してもこのゴミ受け具はつまみ部がゴミで埋もれたりすることがなく、つまみ部にヌメリが発生しないのでゴミやヌメリに触れる不快感を感じることなく衛生的できれいなつまみ部を第３図に示すように手で摘まんでゴミを捨てられる特長がある。
【００１１】
さらに、つまみ部の上端は鍔部の上面と同等ないし低い位置になるように設けてあるので、シンク内で洗い桶などを置いたままずらした場合でも底がつまみ部に当ることがなく、洗い桶などをずらしたことでつまみ部やつまみ部材を折るなどの損傷の恐れもなく使うことができる特長を併せ持つ。
【実施例】
【００１２】
以下、図面に基づいて、この発明のシンク排水孔１０のゴミ受け具１について実施例を説明する。
【００１３】
この実施例のシンク排水孔のゴミ受け具１は射出成形によってポリプロピレンで成形してあり、容器部２は上部を開口した深さ５センチメートル程度、外径は一般的なシンクの排水孔の内径より小さい１１センチメートル程度の椀型ザル形状になっていて、容器部２の内周壁に形成した多数のザルの目が容器部２内の水分を排水する多数の透孔３になっている。
【００１４】
容器部２の上部開口部４には、一般的なシンク排水孔の内径より大きい１４センチメートル程度の外径の鍔部５が全周に渡って形成してある。
【００１５】
容器部２の底部６の下面には環状に糸尻７が形成してあり、図示は省略したが、底部６にも上下方向に多数の透孔を設けてあり、容器部２に流入したゴミ混じりの排水から透孔を介して水分が速やかに排出できるようになっている。
【００１６】
底部６の上面中央付近にはつまみ部材８が底部６から垂直に容器部２と一体に立設してあり、つまみ部材８の頂部を横棒状のつまみ部９に成してつまみ部材８をＴ字形状してあり、つまみ部９の上端部は鍔部５の上面より５ミリメートル程度低くなっている。
【００１７】
次に、この実施例のシンク排水孔のゴミ受け具１を用いる場合について説明する。
【００１８】
第３図に示すように、ゴミ受け具１の容器部２を一般的なシンクの排水孔１０に嵌める。このとき、容器部２の外径は一般的なシンクの排水孔１０の内径より小さいので、容器部２を容易にこの排水孔１０に嵌めることができ、ゴミ受け具１の鍔部５はこの排水孔１０の内径より大きいので、鍔部５がこの排水孔１０の縁部１１を覆う状態でこのゴミ受け具１は装着される。
【００１９】
この状態において、使用後の食器などをシンクで洗うと、洗浄したゴミ混じりの洗浄水は、ゴミ受け具１の鍔部５を乗り越えて、容器部２の内周壁に沿って容器部２内へ落ちて行き、透孔３から水分が排水孔１０内に流出し、周知のトラップ１２をくぐり、排水管１３に排出されるので、ゴミ受け具１の中には第３図に示すように内周壁沿いにゴミ１４だけが残る。
【００２０】
したがって、この実施例のゴミ受け具１は、食器などの洗浄水をシンクに流したときも多量の洗浄水を一時に流さなければ洗浄水がゴミ受け具１の内周壁に沿って流れ落ちるので、つまみ部材８に栄養素豊富な洗浄水が被ることがなく、洗浄水に起因するヌメリがつまみ部９に発生せず、排水孔１０のゴミ受け具１がゴミ１４で一杯になる前にゴミ１４を捨てればつまみ部材８が食物屑などのゴミ１４に埋もれることがない。
【００２１】
さらに、洗桶などの多量の洗浄水をシンク内で勢い良くあけた場合は、排水孔１０で洗浄水があふれ返り、ゴミ受け具１の中央よりにゴミ１４が落ちることもあるが、排水が進むにしたがって排水孔１０で洗浄水が渦巻いて多くのゴミ１４はゴミ受け具１の内周壁近くに集まり、大部分のゴミ１４はシンクからゴミ受け具１の内周壁に沿ってゴミ受け具１の中に落ちるので、ゴミ受け具１の中央、即ち、つまみ部材８近くにはゴミ１４が少なくなり、適宜にゴミ１４を捨てればつまみ部材８がゴミ１４に埋もれることはない。さらに、流れの終わり近くのゴミ１４などが濃縮された洗浄水は、ゴミ受け具１の内周壁に沿って流れおちるのでつまみ部９にはゴミ１４などが濃縮された洗浄水の豊富な栄養源が付着しにくく、つまみ部９にヌメリが発生しにくい。
【００２２】
したがって、洗い桶などの洗浄水をシンクに流してもこのゴミ受け具１はつまみ部９がゴミ１４で埋もれたりすることがなく、つまみ部９にヌメリが発生しないのでゴミ１４やヌメリに触れる不快感を感じることなく衛生的できれいなつまみ部９を第３図に示すように手１５で摘まんでゴミ１４を捨てられる特長がある。
【００２３】
また、つまみ部９の上端部は鍔部５より低い位置にしてあるので、シンク内に置いた鍋や洗い桶などを置いたままずらした場合でも鍋などの底がつまみ部９に当ることがなく、鍋などをずらしたことでつまみ部やつまみ部材８を折るなどの損傷のおそれがない。
【００２４】
なお、この発明のシンク排水孔のゴミ受け具は上述の実施例に限定するものではなく、材質もスチロール、ポリエチレンなど任意のプラスチックを用いたり、ステンレス網や鉄網、あるいは鉄やアルミなどに多数の孔を明けたパンチングメタル等を用いてもよく、容器部の透孔も上述のザルの目に限定するものではなく、容器部内の水分をゴミと分離して排水可能であれば任意の形状、大きさで良い。
【００２５】
同様に容器部の形状、大きさも上記に限定するものではなく、このゴミ受け具発明者の調査ではシンク排水孔の内径は概ね２種類あり、上記実施例では大径の排水孔用の実施例を説明したが、例えば有底円筒状などシンク排水孔に装着できれば、任意の形状、大きさで良い。
【００２６】
鍔部の径も排水孔の径よりも大きく、鍔部によりゴミ受け具を排水孔に係止可能であればよく上述の径に限定するものではない。
【００２７】
つまみ部材も容器部とは別体に設け、例えば接着や、ゴミ受け具の底部に設けた孔にカシメや、螺合により取り付けて容器部とつまみ部材を一体化させてもよく、つまみ部材の取付け位置も容器部の内周壁沿いに溜まってくる排水中のゴミにつまみ部が埋もれないように容器部の底部上面中央付近よりにあれば底部上面中央でなくても良い。
【００２８】
さらに、つまみ部の形状も上述に限定するものではなく、つまんでゴミ受け具を持ち上げられる形状であれば、板状や球状、棒状などの任意の形状で良く、つまみ部の上端部の位置も上述に限定するものではなく、容器部の底部中央付近の上方であって鍔部より低ければよい。さらに、つまみ部とつまみ部材の柱部とは別体に設けたものを接着や螺合など任意の手段でつまみ部材の柱部と一体化してもよい。
【図面の簡単な説明】
【００２９】
【図１】この発明の実施例のシンク排水孔のゴミ受け具の斜視図である。
【図２】同じく実施例のシンク排水孔のゴミ受け具を第１図のＡＡ’線で切断した断面図である。
【図３】同じく実施例のシンク排水孔のゴミ受け具を排水孔に装着してゴミが溜まった状態を示す断面図である。
【符号の説明】
【００３０】
１    ゴミ受け具
２    容器部
３    透孔
４    上部開口部
５    鍔部
６    底部
７    糸尻
８    つまみ部材
９    つまみ部
１０    排水孔
１１    縁部
１２    トラップ
１３    排水管
１４    ゴミ
１５    手
【図１】
2005120620.tif 000003
【図２】
2005120620.tif 000004
【図３】
2005120620.tif 000005